(57)【要約】【課題】スポーツウェアなどに取り付けたファスナーがジョギングの際、引手が揺動して接触音を発生するのを阻止する引手補助具を提供する。【解決手段】引手補助具は長方形の柔軟性のある主体部１０から形成し、主体部の一端に係止片１１を設け、係止片の基部に切込部１７を設けて両側に緩衝片１８を形成し、主体部の切込部の内方に係合孔１５を設け、その内方に挿通孔１６を設け、主体部の他端側に係止舌片１３を設ける。補助具の装着は係止片を引手の取付孔５と摘み孔６、さらに挿通孔へ挿入して緩衝片を引手と胴体の間へ介入して枢軸７を浮上させ、主体部を折曲して係止舌片を係合孔に挿入し、主体部の端部を取付部２上に配して引手の揺動を抑制し、引手による接触音の発生を阻止する。【選択図】  図１
2004313517.tif 000002
【特許請求の範囲】
【請求項１】
柔軟性を備えた引手補助具９を引手４の取付孔５および／または摘み孔６を利用し、引手４を抱囲して取り付け、該補助具９により引手４の枢軸７を浮上させ、かつ引手４の揺動を抑制する形に形成したことを特徴とするスライドファスナー用スライダーの引手補助具。
【請求項２】
補助具９の端部を胴体１と引手４との間に介在させ、引手４の枢軸７を浮上させる形に形成してなる請求項１記載のスライドファスナー用スライダーの引手補助具。
【請求項３】
補助具９の上側の端部を引手４の枢軸７よりも前方に配置し、引手４の揺動を抑制する形に形成してなる請求項１記載のスライドファスナー用スライダーの引手補助具。
【請求項４】
補助具９は、引手４の幅よりも広い樹脂製の長方形の主体部１０の一端に、係止部１２を備えた係止片１１を設け、該係止片１１の基部に切込部１７を設け、主体部１０の他端側の両側縁に係止部１４を備えた係止舌片１３を突設し、係止片１１の基部の近傍の両側内縁に係止舌片１３が挿入し係止できる係合孔１５を穿設し、該係合孔１５の内側に係止片１１が挿入できる挿通孔１６を２個並設し、主体部１０の先端を引手取付部２に圧接可能に形成してなる請求項１記載のスライドファスナー用スライダーの引手補助具。
【請求項５】
補助具９は、引手４の幅よりも広い樹脂製の長方形の主体部１０の一端に、係止部１２を備えた係止片１１を設け、該係止片１１の基部に切込部１７を設け、主体部１０の係止片１１側に摘み孔６に対向して係止片１１が挿通できる挿通孔１６を２個穿設し、主体部１０の反対側に取付孔５と摘み孔６に対向する係止片挿通用の挿通孔１６を穿設し、主体部１０の先端を引手取付部２に圧接可能に形成してなる請求項１記載のスライドファスナー用スライダーの引手補助具。
【請求項６】
補助具９は、引手４の幅よりも広い樹脂製の長方形の主体部１０における一端に引手取付部２が遊嵌できる凹部１９を設け、該凹部１９の外側に係合孔２２を左右に穿設し、その内側に摘み孔６に対向する係合孔２２を穿設し、主体部１０の反対側には外側の左右に係合孔２２に対向する係合頭部２１を設けた係合突起２０、その内側に摘み孔６に対向し係合孔２２と対向する係合頭部２１を設けた係合突起２０を突設し、主体部１０の先端を引手取付部２に圧接可能に形成してなる請求項１記載のスライドファスナー用スライダーの引手補助具。
【請求項７】
補助具９は、所定長さの樹脂製のフィラメント２４を二つ折りして、折り返し部２６を胴体１の前面に配し、フィラメント２４の端部を引き揃えて取付孔５に下方から挿通し、さらに先端を摘み孔６を上方から挿通し、先端が摘み孔６から抜脱不能に止め部２５を設けてなる請求項１記載のスライドファスナー用スライダーの引手補助具。
【請求項８】
補助具９は、引手４の幅よりも広い雌雄混在型の面ファスナー２７の長方形の主体部１０における一端に、取付孔５に挿通可能なＴ字形の係止片１１を設け、該係止片１１の基部に切込部１７を設け、係止片１１を取付孔５に挿通してＴ字形の係止部１２の両側を主体部１０に係合し、かつ主体部１０を折り曲げて互いに係合素子２８，２９を係合させ主体部１０の先端を引手取付部２に圧接可能に形成してなる請求項１記載のスライドファスナー用スライダーの引手補助具。
【請求項９】
補助具９は、引手４の幅よりも広い樹脂製の長方形の主体部１０の一端に、係止部１２を備えた係止片１１を設け、主体部１０の係止片１１側に摘み孔６に対向して係止片１１が挿通できる挿通孔１６を２個穿設し、主体部１０の反対側に取付孔５と摘み孔６に対向する係止片挿通用の挿通孔１６を穿設し、係止片１１の基部に切込部１７を設け、切込部１７の幅を引手取付部２よりも狭小に形成し、切込部１７が取付部２の側壁８を圧接可能に形成してなる請求項１記載のスライドファスナー用スライダーの引手補助具。
【発明の詳細な説明】
【０００１】
【発明の属する技術分野】
この発明は、スライドファスナーのスライダーに装着した引手が、スポーツウェアなどに取り付けて使用する場合、ジョギングによって引手が揺動してファスナーエレメントまたはウェアなどに衝突して発生する接触音を簡単な機構で消音することができる引手補助具に関するものである。
【０００２】
【従来の技術】
スライドファスナーをスポーツウェアなどの前身頃に取り付け、スポーツウェアを着用して運動する場合、例えばジョギングするとスライダーの引手がリズミカルに揺動することによって、引手がファスナーエレメントまたはウェアなどに衝突して騒音すなわち接触音を発生する。この接触音がジョギングをする人にとっては耳障りで、接触音の消音対策が採られている。
【０００３】
従来の消音対策として、図１９に示すようにスライダーの爪杆に装着して連結体の一端に環状の取付部を設け、この環状の取付部にリングからなる弾性体を射出成形して引手を形成する。そしてリングの自由端でファスナーエレメントまたはウェアの生地を押圧することによって、引手が弾むのを阻止して接触音の発生を防止したスライダーが知られている。（例えば、特許文献１参照）
【０００４】
また、図２０に示すようにファスナーに装着してスライダーの引手に金属製または合成樹脂製のカバーを差し込み、カバーの先端に丸穴状の被係止部を設け、ウェアの前身頃の生地に被係止部と係合できる突起状の係止部のある突起プレートを取り付け、ファスナーを閉鎖したとき、カバーの被係止部とウェアの生地に取り付けた突起プレートの係止部とを係合させ、引手の揺動を防止して耳障りな接触音の発生を阻止したスライダーが知られている。（例えば、特許文献２参照）
【０００５】
【特許文献１】
米国特許第５１０１５３８号明細書（２欄４０〜３欄２６行、図１〜７）
【特許文献２】
特開２００１−２０４５１４号公報（３頁段落番号００１５〜００２２、図１）
【０００６】
【発明が解決しようとする課題】
前項で述べた特許文献１に開示されたスライドファスナーのスライダーは、機構が複雑で専用の引手が必要であり、既存のスライドファスナーにおける各種タイプのスライダーの引手には簡単に適用することができない。従ってスライダーの製造コストが高くなり、スライダーを安価に提供することが難しいなど問題点がある。
【０００７】
また特許文献２に開示されたスライドファスナーのスライダーにおける引手のカバーは、各種タイプの既存のスライダーの引手に適用するためには、各種サイズのカバーを作製する必要があり、またカバーと対をなす突起プレートをスポーツウェアなどに取り付けて使用しなければならないので面倒である。さらにこのタイプの引手をファスナーチエンの任意の個所でストップして支持することができないので不便であるなど問題点がある。
【０００８】
この発明は、上述の問題点を考慮して発明されたものであり、請求項１記載の発明は、自由に揺動できる既存の各種タイプのスライドファスナーにおけるスライダーの引手について、引手の揺動を抑制して引手が他物、例えばファスナーエレメントまたはウェアの生地に衝突して雑音すなわち接触音を発生することを阻止するとともに、妄りに引手が回動できないように、回動を制動するため引手の取付孔または摘み孔を利用して、簡単に引手を抱囲して取り付けることができる引手補助具を提供することが主たる目的である。
【０００９】
請求項２記載の発明は、請求項１記載の発明の目的に加え、引手補助具は、補助具の端部を利用して、引手が自由に揺動できないように、引手の枢軸を浮上させて引手の揺動を抑制し、接触音の発生を阻止する引手補助具を提供することが目的である。
【００１０】
請求項３記載の発明は、請求項１記載の発明の目的に加え、引手補助具は、補助具の先端を利用して、引手が自由に回動できないように、引手の取付部分の動作を抑制して接触音の発生を阻止する引手補助具を提供することが目的である。
【００１１】
請求項４乃至９記載の発明は、それぞれ請求項１記載の発明の目的に加え、既存の各種タイプのスライドファスナーにおけるスライダーの引手に利用できる補助具の形態を特定して、引手の枢軸を浮上させて揺動を抑制し、かつまた引手の回動を抑制してそれぞれ引手による接触音の消音機能を発揮する引手補助具を提供することが目的である。
【００１２】
【課題を解決するための手段】
前記の目的を達成するため、この発明のうち請求項１記載の発明は、スライドファスナーのスライダーにおいて、スライダーの引手４が妄りに揺動し、かつまた回動して引手４が他物に衝突して接触音を発生するのを抑制するため、スライダー胴体１に引手４を取り付ける取付孔５、また引手４の先端にある摘み孔６を利用して、柔軟性のある補助具９を引手４に対し抱囲する形で取り付け、その結果引手４の枢軸７を浮上させ、かつ引手４の揺動および回動を抑制する形態に形成したスライドファスナー用スライダーの引手補助具を主な構成とするものである。
【００１３】
請求項２記載の発明は、請求項１記載の発明の構成に加え、引手補助具は、補助具９の一端の端部を緩衝片１８として、スライダーの胴体１と引手４との間に介在させ、引手４の枢軸７を押し上げ引手を浮上させる形態に形成した引手補助具である。なお引手４の枢軸７の押上作動は、自動停止機構を備えたスライダーにあっては、停止機能を解除しない限度まで浮上させることが必要である。
【００１４】
請求項３記載の発明は、請求項１記載の発明の構成に加え、引手補助具は、補助具９の上側の先端部分を引手取付部２に配設した引手４の枢軸７よりも胴体１の前方に位置する取付部２の上面に配し、引手４の揺動すなわち回動を抑制する形態に形成した引手補助具である。
【００１５】
請求項４記載の発明は、請求項１記載の発明の構成に加え、引手補助具は、引手４の幅よりも広い樹脂製の長方形の主体部１０の一端に、先端部分に矢尻状の係止部１２を備えた引手４の取付孔５へ挿通できる係止片１１を設け、この係止片１１の基部すなわち根元に切込部１７を設け、主体部１０の他端側における両側縁に矢尻状の係止部１４を備えた係止舌片１３を突出状に設け、係止片１１の基部の近傍の両側内縁に係止舌片１３が挿入して係止できる係合孔１５を穿設し、この係合孔１５の内側に係止片１１が挿入できる挿通孔１６を２個並設し、主体部１０の係止片１１を設けた端部とは反対側の端部先端を胴体１上に設けた引手取付部２の上面に圧接できるように形成した引手補助具である。
【００１６】
請求項５記載の発明は、請求項１記載の発明の構成に加え、引手補助具は、引手４の幅よりも広い樹脂製の長方形の主体部１０の一端に、先端部分に矢尻状の係止部１２を備えた引手４の取付孔５へ挿通できる係止片１１を設け、この係止片１１の基部すなわち根元に切込部１７を設け、主体部１０の係止片１１側に引手４の摘み孔６に対向して係止片１１が挿通できる挿通孔１６を２個穿設し、主体部１０の反対側に引手４の取付孔５と摘み孔６に対向して係止片１１が挿通できる挿通孔１６を穿設し、主体部１０の係止片１１を設けた端部とは反対側の端部先端を胴体上に設けた引手取付部の上面に圧接できるように形成した引手補助具である。
【００１７】
請求項６記載の発明は、請求項１記載の発明の構成に加え、引手補助具は、引手４の幅よりも広い樹脂製の長方形の主体部１０の一端に、胴体１上に設けた引手取付部２が遊嵌できる凹状の凹部１９を設け、この凹部１９の外側すなわち主体部１０の中央寄りに係合孔２２を左右に穿設し、この係合孔２２より内側に引手の摘み孔６に対向する係合孔２２を穿設し、主体部１０の反対側には外側の左右に係合孔２２に対向する係合頭部２１を設けた係合突起２０を突設し、その内側に引手４の摘み孔６に対向し係合孔２２と対向する係合頭部２１を設けた係合突起２０を突設し、主体部１０の凹部１９を設けた反対側の端部先端を胴体１上に設けた引手取付部の上面に圧接できるように形成した引手補助具である。
【００１８】
請求項７記載の発明は、請求項１記載の発明の構成に加え、引手補助具は、所定長さの樹脂製のフィラメント２４を二つ折りして、この折り返し部２６を胴体１に設けた引手取付部２の前面に配置し、フィラメント２４の端部を引き揃えて引手４の取付孔５に下方から挿通し、さらに先端を引手４の摘み孔６を上方から挿通し、フィラメント２４の先端が摘み孔６から抜脱することができない止め部２５を形成した引手補助具である。
【００１９】
請求項８記載の発明は、請求項１記載の発明の構成に加え、引手補助具は、引手４の幅よりも広い雌雄混在型の面ファスナー２７の長方形の主体部１０から形成され、主体部１０にはフックまたはマッシュルームの雄形係合素子２９とループの雌形係合素子２８が混在し、主体部１０の一端に、引手４の取付孔５へ挿通できるＴ字形の係止片１１を設け、この係止片１１の基部すなわち根元に切込部１７を設け、Ｔ字形の係止片１１の先端の左右に延びる部分は係止部１２を形成し、係止部１２の係合素子２８，２９を主体部１０の係合素子２８，２９と係合させ、主体部１０の上側の先端を引手取付部２の上面に圧接できるように形成した引手補助具である。
【００２０】
請求項９記載の発明は、請求項１記載の発明の構成に加え、引手補助具は、引手４の幅よりも広い樹脂製の長方形の主体部１０の一端に、先端部分に矢尻状の係止部１２を備えた引手４の取付孔５へ挿通できる係止片１１を設け、主体部１０における係止片１１側に引手４の摘み孔６に対向して係止片１１が挿通できる挿通孔１６を２個穿設し、主体部１０の反対側に引手４の取付孔５と摘み孔６に対向する係止片１１が挿通できる挿通孔１６を穿設し、係止片１１の基部すなわち根元に切込部１７を設け、この切込部１７の幅は引手取付部２の幅よりも狭小に形成し、切込部１７が引手取付部２の側壁８を圧接できる形態に形成して引手の揺動または回動を抑制できる引手補助具である。
【００２１】
【発明の実施の形態】
以下、この発明のスライドファスナー用スライダーの引手補助具について、図面を参照しながら具体的に説明する。
【００２２】
この発明のスライドファスナー用スライダーにおける引手補助具は、図１に示す第１実施例のように、スライダーの胴体１に設置された引手取付部２に取り付けられた引手４を抱囲する形に補助具９は形成され、補助具９はポリウレタンなどの熱可塑性樹脂または合成ゴムの柔軟性のあるシートの主体部１０から形成され、主体部１０は引手４の幅よりも広い長方形であり、主体部１０の一端における中央部分から引手４の取付孔５に挿通できる幅の係止片１１が突設され、この係止片１１は途中に矢尻状に横へ拡大する係止部１２が形成され、先端は細幅状のガイド部分として取付孔５および挿通孔１６への挿入が容易な形状に形成されている。また係止片１１の基部すなわち根元に引手取付部２の幅に相当する切込部１７を設け、切込部１７の両側に引手４と胴体１の間へ挿入できる緩衝片１８を設け、引手４と胴体１との間に介在させることによって、引手４の枢軸７を浮上させ、取付部２の下縁に枢軸７を当接させる。なお、自動停止装置付スライダーの場合は、引手４の枢軸７を補助具９の緩衝片１８によって浮上させるが、自動停止機構が働き停止機能が解除されない程度に浮上させることが必要であるが、通常の場合は引手４を上方へ引っ張り上げない限り停止機能は解除されないものである。
【００２３】
主体部１０に設けた切込部１７の内方における両側の縁内に係止舌片１３が挿入し係止できる係合孔１５を穿設し、その内方中央部分に係止片１１を挿通し係止できる挿通孔１６を２個縦に並設する。また主体部１０の他端側の内方における両側に前記係合孔１５に対向できるように係止舌片１３を縁部から切り込みを設けて突設し、この係止舌片１３の途中に矢尻状に横へ拡大する係止部１４を設けて係合孔１５に係止できるように形成する。
【００２４】
補助具９をスライダー胴体１の引手４に組み付けるには、図２に示すように係止片１１を引手４の取付孔５に挿入して折り曲げ、摘み孔６へ挿入して主体部１０の内方の挿通孔１６に挿入して係止部１２を係止し、先端を外方の挿通孔１６に挿入し、引手４と主体部１０の間に挟持して係止片１１をセットする。次に図３に示すように主体部１０を中間で折り曲げて係止片１１の表面を被覆する形で、主体部１０の両側に設けた係止舌片１３を係合孔１５へ挿入して係止部１４を係止することによって、補助具９を引手４にセットするとともに、図４に示すように主体部１０の端部を引手取付部２の表面に圧接する形に形成する。この場合主体部１０の先端は引手４の枢軸７よりも前方に位置するように配置するのがよい。
【００２５】
補助具９を装備してスライダーは、胴体１と引手４の間に主体部１０の緩衝片１８が介在して引手４の枢軸７を上方へ常時浮上させ、取付部２の下縁に枢軸７を当接させ、かつ主体部１０の上側端部が取付部２を圧接しているので、図５に示す状態でも引手４を始動状態へ倒伏させ、引手４は自由に回動または揺動することができない。従って引手４の揺動を抑制し引手４による接触音の発生を阻止する。
【００２６】
図６に示す第２実施例の引手補助具は、引手４の幅よりも広い長方形の主体部１０から形成され、主体部１０の一端に引手４の取付孔５および摘み孔６に挿通できる係止片１１を突設し、係止片１１の途中に矢尻状の係止部１２を設け、係止片１１の基部に切込部１７を設けて切込部１７の両側に緩衝片１８を設ける。主体部１０の係止片１１側には主体部１０へ挿通した係止片１１の先端を最後に挿通できる挿通孔１６を２個穿設し、主体部１０の他端側には引手４の取付孔５と摘み孔６に対向する形で係止片１１が挿通できる挿通孔１６を設ける。
【００２７】
引手４に対し補助具９を組み付けるには、図７に示すように、係止片１１の先端を引手４に設けた取付孔５に挿通し、主体部１０を中間で折り曲げて外方の挿通孔１６へ係止片１１を挿通し、さらに係止片１１を折り曲げて内方の挿通孔１６へ挿入して摘み孔６を挿通し、次に係止片１１を主体部１０の係止片１１の基部側に位置する挿通孔１６へ挿入して係止部１２によって係止した後、係止片１１を折り曲げて内方の挿通孔１６へ挿入し、図８に示すように係止片１１の先端を引手４と主体部１０との間へ挿入して挟持し、そして主体部１０の先端で引手４の枢軸７よりも前方の引手取付部２の表面に圧接する形に形成することによって、引手４と補助具９とをセットできる。この引手補助具の使用態様は前例と同一である。
【００２８】
図９に示す第３実施例の引手補助具は、引手４の幅よりも広い長方形の主体部１０の一端に、胴体１に設けた引手取付部２の幅に等しい凹部１９を設けて、その両側に緩衝片１８を設ける。この凹部１９の内方の主体部１０に係合突起２０が挿入できる円形の係合孔２２を両側の縁内に設け、この係合孔２２の内方の主体部１０に引手４の摘み孔６に対向する円形の係合孔２２を設ける。主体部１０の他端の外方には、一端に設けた係合孔２２に対向して先端に膨大状の係合頭部２１のある係合突起２０を主体部１０の両側の縁内に設けて係合孔２２に挿入して係止し、この係合突起２０の内方に引手４の摘み孔６を挿通した後、係合孔２２に挿入し係止できる係合突起２０を設ける。
【００２９】
引手４に補助具９を組み付けるには、主体部１０の中央部分を折り曲げて主体部１０の一端に設けた凹部１９を引手取付部２の端部に嵌め込み、引手４の摘み孔６に対向する係合突起２０を上方から挿入して下方の係合孔２２へ挿入して係止し、次に両側の係合突起２０を引手４の両外方にある係合孔２２へ挿入して係止することによって、図１０に示すように主体部１０の先端で引手４の枢軸７よりも前方の取付部２の表面を圧接する形に形成して引手４と補助具９とをセットする。この引手補助具の使用態様は前例と同一である。
【００３０】
図１１に示した第４実施例の引手補助具は、ポリウレタンなどの熱可塑性樹脂製のフィラメント２４を用いて補助具９を形成する。フィラメント２４を所定の長さに切断して二つ折りして、図１２に示すように折り返し部２６を胴体１の引手４の枢軸７よりも前面に配し、フィラメント２４の端部を引き揃えて引手４の取付孔５を裏側から表側へ挿通し、さらに先端を引手４の摘み孔６を表側から裏側へ挿通して引き揃えた先端に樹脂から成形した挟み付けタイプの止め具を取り付けて止め部２５を形成し、引手４の摘み孔６から図１３に示すように抜脱できないように形勢して引手４に補助具９を組み付ける。
【００３１】
引手４に補助具９を組み付けたスライダーは、引手４と胴体１との間にフィラメント２４が介在して、引手４の枢軸７を常時上方へ浮上させるとともに、やや引手４を起立状態に固定し、引手４の過度の回動を阻止し、引手４の揺動を抑制して引手４による接触音の発生を防止する。
【００３２】
図１４に示す第５実施例の引手補助具は、補助具９の主体部１０に雌形係合素子２８と雄形係合素子２９が植設された雌雄混在型の面ファスナー２７を用い、面ファスナー２７は引手４の幅よりも広い長方形の主体部１０を形成し、主体部１０の中央両側に三角状に切り欠いた凹欠部３０を設けて屈曲自在に形成し、主体部１０の一端にはＴ字形に裁断して係止片１１を設け、左右に雌雄形係合素子２８，２９のある係止部１２を形成し、係止片１１の基部に切込部１７を設けて両側に緩衝片１８を設けて補助具９を形成する。
【００３３】
引手４の補助具９を取り付けるには、図１５に示すように引手４の取付孔５の裏側から表側へ係止片１１を挿通して先端の係止部１２を摘み孔６の左右の面ファスナー２７に係止して引手４を固定するとともに、緩衝片１８を引手４と胴体１との間に介在させ、主体部１０を凹欠部３０で折り曲げて引手４を被覆する形で雌雄形係合素子２８，２９を係止して固定する。この際主体部１０の上側の端部を引手取付部２における引手４の枢軸７よりも前面に配される形で固定することによって、引手４の枢軸７を上方へ浮上させるとともに、引手４の先端を下方へ付勢し引手４の回動を抑制する作用がある。
【００３４】
図１６に示す第６実施例の引手補助具は、補助具９の主体部１０は引手４の幅よりも広い長方形を呈し、主体部１０の一端側に引手４の取付孔５および摘み孔６に挿通できる係止片１１を突設し、係止片１１の途中には矢尻状の係止部１２を設け、この係止片１１の幅は胴体１の取付部２の幅よりも狭小に形成し、係止片１１の基部に切込部１７を設け、この切込部１７の両側に緩衝片１８を設けるが、緩衝片１８の内側面は取付部２の側壁８へ圧接する形に形成する。
【００３５】
主体部１０の中央部分、すなわち引手４の摘み孔６が対向する部分に係止片１１が挿通できる挿通孔１６を２個設け、主体部１０の他端側に引手４の取付孔５と摘み孔６が対面する部分に係止片１１が挿通できる挿通孔１６を２個穿設する。
【００３６】
引手４に補助具９を組み付けるには、図１７に示すように係止片１１の先端を引手４の取付孔５を裏側から上方へ挿通し、引手４と胴体１の間へ緩衝片１８を介在させることによって、引手４の枢軸７を浮上させ、次に主体部１０の最先端の挿通孔１６を表面から裏側へ挿通して主体部１０の係止片１１側の挿通孔１６に挿通するとともに、係止部１２によって係止して固定し、先端を隣接の挿通孔１６を下方から挿入して引手４と主体部１０の間で挟持させて、補助具９を取り付ける。なお取り付けられた補助具９は、図１８に示すように係止片１１の基部に設けた緩衝片１８の内側面が引手取付部２の側壁８を圧接するので、引手４の自由な回動を抑制する機能が働き、従って引手４の揺動による接触音が発生することがない。
【００３７】
【発明の効果】
この発明のスライドファスナー用スライダーの引手補助具は、以上説明したとおりの構成であり、この構成によって下記の効果を奏するものである。
【００３８】
この発明のうち請求項１記載の発明は、柔軟性を備えた引手補助具を引手の取付孔および／または摘み孔を利用し、引手を抱囲して取り付け、補助具により引手の枢軸を浮上させ、かつ引手の揺動を抑制する形に形成したことによって、引手補助具を簡単な構造から形成し、既存の引手の取付孔および／または摘み孔を利用して簡単に補助具を取り付けて引手の揺動を抑制し、ジョギングなどによって惹起する引手の接触音の発生を阻止できる効果がある。また不使用の時は簡単に取り外して保管できる便利さがある。
【００３９】
請求項２記載の発明は、請求項１記載の発明の効果に加え、補助具の端部を胴体と引手との間に介在させ、引手の枢軸を浮上させる形に形成したことによって、胴体と引手との間に補助具の一部を挿入して引手の枢軸を浮上させ、胴体と引手との接触による接触音の発生を簡単に阻止できる効果がある。
【００４０】
請求項３記載の発明は、請求項１記載の発明の効果に加え、補助具の上側の端部を引手の枢軸よりも前方に配置し、引手の揺動を抑制する形に形成したことによって、補助具の一部を引手の枢軸よりも前方に配したから、引手の揺動を簡単に抑制することができ、従って引手の揺動による接触音の発生を簡単に阻止できる効果がある。
【００４１】
請求項４乃至９記載の発明は、それぞれ請求項１記載の発明の効果に加え、既存の引手に簡単に取り付けることができる補助具の形態を特定したことによって、それぞれ各種タイプの既存の引手に対し、引手の取付孔および／または摘み孔を利用して補助具を取り付け、引手の枢軸を浮上させて引手の揺動を抑制し、また引手の回動を規制するとともに、いかなる運動、動作に対しても引手と胴体との衝突による接触音の発生を阻止する。また引手全体を補助具でカバーし多彩なスライダーを実現でき、かつ取り外し交換も可能な消音機能を備えた便利な引手補助具であるなど、この発明が奏する効果はきわめて顕著である。
【図面の簡単な説明】
【図１】第１実施例のスライダーと引手補助具の分解斜視図である。
【図２】同上補助具の引手取り付け順序を示す断面斜視図である。
【図３】同上補助具の引手取り付け順序を示す断面斜視図である。
【図４】同上補助具を装備したスライダーの一部切欠した側面図である。
【図５】同上補助具を装備したスライダーの引手起立状態を示す一部切欠した側面図である。
【図６】第２実施例のスライダーと引手補助具の分解斜視図である。
【図７】同上補助具の引手取り付け順序を示す断面斜視図である。
【図８】同上補助具の引手取り付け順序を示す断面斜視図である。
【図９】第３実施例のスライダーと引手補助具の分解斜視図である。
【図１０】同上補助具を装備したスライダーの一部切欠した側面図である。
【図１１】第４実施例のスライダーと引手補助具の分解斜視図である。
【図１２】同上補助具を装備したスライダーの一部切欠した側面図である。
【図１３】同上補助具を装備したスライダーの背面図である。
【図１４】第５実施例のスライダーと引手補助具の分解斜視図である。
【図１５】同上補助具の引手取り付け順序を示す断面斜視図である。
【図１６】第６実施例のスライダーと引手補助具の分解斜視図である。
【図１７】同上補助具を装備したスライダーの一部切欠した側面図である。
【図１８】同上補助具を装備したスライダーの一部切欠した平面図である。
【図１９】公知の引手の揺動を阻止したスライダーの斜視図である。
【図２０】他の公知の引手の揺動を阻止したスライダーの正面図である。
【符号の説明】
１            胴体
２            引手取付部
４            引手
５            取付孔
６            摘み孔
７            枢軸
８            側壁
９            補助具
１０            主体部
１１            係止片
１２            係止部（係止片）
１３            係止舌片
１４            係止部（係止舌片）
１５            係合孔（係止舌片）
１６            挿通孔
１７            切込部
１９            凹部
２０            係合突起
２１            係合頭部
２２            係合孔（係合突起）
２４            フィラメント
２５            止め部
２６            折り返し部
２７            面ファスナー
２８            雌形係合素子
２９            雄形係合素子
【図１】
2004313517.tif 000003
【図２】
2004313517.tif 000004
【図３】
2004313517.tif 000005
【図４】
2004313517.tif 000006
【図５】
2004313517.tif 000007
【図６】
2004313517.tif 000008
【図７】
2004313517.tif 000009
【図８】
2004313517.tif 000010
【図９】
2004313517.tif 000011
【図１０】
2004313517.tif 000012
【図１１】
2004313517.tif 000013
【図１２】
2004313517.tif 000014
【図１３】
2004313517.tif 000015
【図１４】
2004313517.tif 000016
【図１５】
2004313517.tif 000017
【図１６】
2004313517.tif 000018
【図１７】
2004313517.tif 000019
【図１８】
2004313517.tif 000020
【図１９】
2004313517.tif 000021
【図２０】
2004313517.tif 000022